Podtech/llm-jp-corpus-v4-ja_patent huggingface dataset:
(57)【要約】      （修正有）【課題】室の湿度維持効果が高く、また、床タイルの荷重、特に局所荷重に対する耐性が高い、木口面を表面とする木製床タイルを提供する。【解決手段】表面が木口面であるような木製床タイルを提供する。外寸安定加工を施して、繊維方向以外の方向の寸法変化の弊害を予防する。外寸安定加工としてはサーモ処理、高温乾燥処理を用いることができる。表面に防水加工を施して、木口面の給水による木製床タイルの劣化を予防する。小さな寸法の板を接合し、大きな面積の板材が得られなくても床タイルを生産可能である。【選択図】図２
0003176658.tif 000002
【実用新案登録請求の範囲】
【請求項１】
表面が木口面であることを特徴とする、木製床タイル。
【請求項２】
外寸安定加工を施したものであることを特徴とする、請求項１に記載の木製床タイル。
【請求項３】
前記外寸安定加工がサーモ処理又は高温乾燥処理によるものであることを特徴とする、請求項２に記載の木製床タイル。
【請求項４】
表面に防水加工を施したものであることを特徴とする、請求項１〜３のいずれか１項に記載の木製床タイル。
【請求項５】
１辺の長さが３０ｍｍ〜１２０ｍｍの略正方形の板を２枚以上シートに貼着して、長方形又は正方形の形状を構成したものであることを特徴とする、請求項１〜４のいずれか１項に記載の木製床タイル。
【考案の詳細な説明】
【技術分野】
【０００１】
本考案は、木製の床タイルに関するものである。
【背景技術】
【０００２】
木製の床タイルは、木の持つ質感が好まれ、広く用いられている。
ところで、木材を切断して、表面略正方形状の薄い板である床タイルを生産する場合、木材の繊維方向に垂直な木口面を表面とすることも、木材の繊維方向に垂直でない板目面を表面とすることもできる。木口面を表面とすると、その床タイルを敷設した室の湿度維持効果が高く、また、床タイルの荷重、特にハイヒールのかかと等による局所荷重に対する耐性が高い。
特許文献１には、木口面が有する湿度維持効果を活用するために、木口面が空気に触れる面積を大きくするようにスリットを入れた床タイルが開示されている。しかし、特許文献１に開示された床タイルは、木口面を表面とするものではない。
以上のとおり、木口面を表面とする木製床タイルは知られていなかった。
【先行技術文献】
【特許文献】
【０００３】
【特許文献１】実登３１７４９８５号公報
【考案の概要】
【考案が解決しようとする課題】
【０００４】
解決しようとする問題点は、室の湿度維持効果が高く、また、床タイルの荷重、特に局所荷重に対する耐性が高いような、木口面を表面とする木製床タイルを提供することである。
【課題を解決するための手段】
【０００５】
本考案の木製床タイルは、
表面が木口面であることを特徴とする。
表面を木口面とすることにより、室の湿度維持効果が高く、また、床タイルの荷重、特に局所荷重に対する耐性が高い木製床タイルとなる。
【０００６】
本考案の木製床タイルは、
外寸安定加工を施したものであることを特徴とする。
木口面を表面とする場合、床タイルの水平方向（敷設する平面内の縦方向及び横方向）の寸法変化が大きくなる。湿度、温度等による寸法変化は木材の繊維方向が最小であるが、繊維方向に垂直な木口面を表面とすると、繊維方向が水平方向にならないためである。
そこで、床タイル敷設後の寸法変化によって床タイルの間に空隙が発生したり床タイルが不必要に圧着されて変形したりすることを予防するため、外寸安定加工を施すことが好ましい。
【０００７】
本考案の木製床タイルは、
前記外寸安定加工がサーモ処理又は高温乾燥処理によるものであることを特徴とする。
サーモ処理、高温乾燥処理は、広く用いられており、効果の高い外寸安定加工である。
【０００８】
本考案の木製床タイルは、
表面に防水加工を施したものであることを特徴とする。
木口面に水がかかると、給水による木製床タイルの劣化が発生するおそれがある。そこで、表面に防水加工を行うことが好ましい。
【０００９】
本考案の木製床タイルは、
１辺の長さが３０ｍｍ〜１２０ｍｍの略正方形の板を２枚以上シートに貼着して、長方形又は正方形の形状を構成したものであることを特徴とする。
丸太状の木材を板状に切断する場合、木口面を表面とすると、板目面を表面とする場合に比して、広い面積の板表面を得ることが困難である。標準的な床タイルの寸法である１辺の長さが３００ｍｍ〜５００ｍｍの正方形のものを、１枚の板によって生産することは困難である。そこで、木口面を表面として生産することが容易である１辺の長さが３０ｍｍ〜１２０ｍｍの略正方形の板を２枚以上接合して木製床タイルとする。接合の方法としては、広く用いられているシートに貼着する方法でよい。
【考案の効果】
【００１０】
本考案の木製床タイルは、室の湿度維持効果が高く、また、床タイルの荷重、特に局所荷重に対する耐性が高い。
【図面の簡単な説明】
【００１１】
【図１】図１は、木製床タイルを示す図である。（実施例１）
【図２】図２は、木製床タイルを示す図である。（実施例２）
【考案を実施するための形態】
【００１２】
１枚の板による木製床タイルの実施例１、及び、２５枚の板による木製床タイルの実施例２を示す。
【実施例１】
【００１３】
図１は、木製床タイルを示す図である。木製床タイル１は、１辺の長さが３００ｍｍの正方形の板であり、木口面２が表面になっている。
【実施例２】
【００１４】
図２は、木製床タイルを示す図である。木製床タイル１は、１辺の長さが１００ｍｍの正方形の板３をシート４に貼着したものであり、１辺の長さが５００ｍｍの木製床タイルである。２５枚の板３の表面は全て木口面２である。
シート４はゴム製であり、下地材に対して安定して床面を構成する効果を有する。
板３は、表面を木口面として生産することが容易なサイズであり、１辺の長さが５００ｍｍの、大きなサイズの木製床タイルを容易に生産することができる。
【産業上の利用可能性】
【００１５】
室の湿度維持効果が高く、また、床タイルの荷重、特に局所荷重に対する耐性が高い木製床タイルであり、多くの施工業者及び個人による活用が考えられる。
【符号の説明】
【００１６】
１    木製床タイル
２    木口面
３    板
４    シート
【図１】
0003176658.tif 000003
【図２】
0003176658.tif 000004
(57)【要約】      （修正有）【課題】子供から老人まで幅広く使用することが可能であり、安全性の高いバランスボードを提供する。【解決手段】バランスボード１は、使用者を支持するための補助フレーム２を備える。補助フレーム２は、基台１０と、基台１０に設けられた支持杆２０と、を有する。バランスボード１は、底部、および、底部の上に設けられた足踏み板３２をさらに備える。これにより、使用者が、足踏み板３２に足を乗せるとともにハンドル２５を握ることができることから、体勢が崩して転倒したりすることを未然に防ぐことができる【選択図】図１
0003176649.tif 000002
【実用新案登録請求の範囲】
【請求項１】
バランスボード本体（３０）と、使用者を支持するための補助フレーム（２）を備えることを特徴とするバランスボード（１）。
【請求項２】
前記補助フレーム（２）は、
所定領域内で前記バランスボード本体（３０）を支持する基台（１０）と、
前記基台（１０）に設けられ、前記基台（１０）の端部から上方向に立ち上がって延びる支持杆（２０）と、を有することを特徴とする請求項１に記載のバランスボード。
【請求項３】
前記バランスボード本体（３０）は、底部（３１）、および前記底部（３１）の上に設けられた足踏み板（３２）をさらに備えることを特徴とする請求項２に記載のバランスボード。
【請求項４】
前記支持杆（２０）の上端に設けられ、前記足踏み板（３２）に乗る使用者が手で握ることが可能なハンドル（２５）をさらに備えることを特徴とする請求項３に記載のバランスボード。
【考案の詳細な説明】
【技術分野】
【０００１】
本考案は、補助フレームを備えるバランスボードに関するものである。
【背景技術】
【０００２】
従来、特許文献１に記載のようなバランスボードが知られている。
【先行技術文献】
【特許文献】
【０００３】
【特許文献１】特開２００７−４４０８５号公報
【考案の概要】
【考案が解決しようとする課題】
【０００４】
しかしながら、特許文献１に記載のバランスボードが不安定であるため、バランスボードを上手に使いこなすことは、子供、高齢者或いは臆病者にとって容易ではなかった。
本考案はこのような事情を考慮してなされたもので、その目的は、子供から老人まで幅広く使用することが可能であり、安全性の高いバランスボードを提供することを目的とする。
【課題を解決するための手段】
【０００５】
バランスボードは、使用者を支持するための補助フレームを備える。補助フレームは、基台と、基台に設けられた支持杆と、を有する。バランスボードは、底部、および、底部の上に設けられた足踏み板をさらに備える。
【図面の簡単な説明】
【０００６】
【図１】本考案の一実施形態によるバランスボードの分解斜視図である。
【図２】本考案の一実施形態によるバランスボードの斜視図である。
【図３】本考案の一実施形態によるバランスボードの正面図である。
【図４】本考案の一実施形態によるバランスボードの側面図である。
【図５】本考案の一実施形態によるバランスボードの断面図である。
【図６】本考案の一実施形態によるバランスボードの応用例を示す斜視図である。
【考案を実施するための形態】
【０００７】
図１〜図６を参照しながら、本考案の一実施形態によるバランスボードについて説明する。バランスボード（１）は、バランスボード本体（３０）と、補助フレーム（２）を備える。補助フレーム（２）は、基台（１０）および支持杆（２０）を有する。基台（１０）は、Ｓ字状またはＮ字状の枠体（１１）と、隣接するまたは互いに直交する２つの梁部材（１２，１３）と、梁部材（１３）に隣接かつ直交して設けられた伸長バー（１４）と、を備える。また、梁部材（１２，１３）の間には、パッド体（１７）を収容するための空間（１６）が形成されるように板体（１５）が設けられている。伸長バー（１４）は、板体（１５）とパッド体（１７）から離れる方向に向けて延伸している。
【０００８】
支持杆（２０）は、伸縮可能であり、１本または１本以上（例えば、２本）の杆体（２１，２２）を備え、上へ向かって延伸するように支持杆（２０）の基端部（２３）を基台（１０）の伸長バー（１４）の上方に設け、子供、高齢者及び臆病者などの異なる高さの使用者を支持するために、それぞれの高さに応じて伸縮可能または異なる長さに調節可能に構成された。また、支持杆（２０）の先端部（２４）には、使用者８、（図６参照）を支持するためのハンドル（２５）が設置された。
【０００９】
各方向に傾けることができるよう半球状或いは円弧状をなす底部を有するバランスボード本体（３０）は、基台（１０）の板体（１５）若しくはパッド体（１７）の上に設けられており、使用者（８）を支持するための足踏み板（３２）は、底部（３１）の上に設けられている。また、使用者の動きを検出するために、バランスボード本体（３０）は、底部（３１）若しくは足踏み板（３２）の上に設けられているセンサ（３３）及び／或いは制御器（３４）と接続されている。
【００１０】
制御パネル若しくは表示器（３５）は、支持杆（２０）の先端部（２４）またはハンドル（２５）の上に設けられ、センサ（３３）若しくは制御器（３４）と有線または無線により電気的に接続されることによって制御パネル若しくは表示器（３５）に任意の情報を表示させることができるようになっている。センサ（３３）及び制御器（３４）を被覆して保護するための蓋体（３６）は、底部（３１）若しくは足踏み板（３２）の上に設けられている。
【００１１】
また、図６に示すように、使用者（８）が、足踏み板（３２）に足を乗せるとともにハンドル（２５）を握ることができることから、体勢が崩して転倒したりすることを未然に防ぐことができる。そして安全に操作することができ、バランス運動を鍛錬・練習すると同時にバランス感覚を養成することもできる。
【符号の説明】
【００１２】
１・・・バランスボード
１０・・・基台、
１１・・・枠体、
１２，１３・・・梁部材、
１４・・・伸長バー、
１５・・・板体、
１６・・・空間、
１７・・・パッド体、
２・・・補助フレーム、
２０・・・伸縮支持杆、
２１，２２・・・杆体、
２３・・・支持杆の基端部、
２４・・・支持杆の先端部、
２５・・・ハンドル、
３０・・・バランスボード本体、
３１・・・底部、
３２・・・足踏み板、
３３・・・センサ、
３４・・・制御器、
３５・・・制御パネル若しくは表示器、
３６・・・蓋体、
８・・・使用者。
【図１】
0003176649.tif 000003
【図２】
0003176649.tif 000004
【図３】
0003176649.tif 000005
【図４】
0003176649.tif 000006
【図５】
0003176649.tif 000007
【図６】
0003176649.tif 000008
(57)【要約】      （修正有）【課題】ペットの高齢化および病気に伴う筋力の低下・怪我等による、ペットの歩行時、排泄時のペットのふらつき、転倒を防止するための、軽くて着脱が容易なペット用サポートバックを提供する。【解決手段】ペットの胴体全体を包む胴体部に前脚２本・後ろ脚２本用の４か所の挿通口を備え、背部には首・胴体・腰の太さに合わせて調節装着可能な調節用面ファスナーを備え、胴体部には飼い主等がペットの胴体を持ち上げ支持可能な持ち手が固定された構造を持っており、尻尾から下腹部にかけ排尿・排便可能な細長い開口部を備えている。【選択図】図３
0003176602.tif 000002
【実用新案登録請求の範囲】
【請求項１】
ペットの胴体全体（胸部・下腹部・腰部・臀部・背部）を包む胴体部に、前脚２本及び後ろ脚２本用の４つの挿通口を備え、背部にペットの首・胴体中央・腰の太さに合わせて調整装着可能な調節用面ファスナーを備え、胴体部に飼い主等がペットの胴体全体を持ち上げペットの歩行・脚立を支持可能な持ち手が固定されていることを特徴とする軽くて着脱が容易なペット用サポートバック。
【請求項２】
尻尾から下腹部にかけ排尿・排便可能な細長い開口部を備えていることを特徴とする請求項１記載のペット用サポートバック。
【考案の詳細な説明】
【技術分野】
【０００１】本考案は犬・猫（以下、「ペット」という）の歩行と、排尿・排便を介助するペット用サポートバックに関するものである。
【背景技術】
【０００２】従来ペットを散歩させる際には、胴体に装着された首輪等にリードを取り付け、犬の行動範囲を制限するものであった。
近年ペットの高齢化および病気に伴う筋力の低下・怪我等により、歩行時のふらつき・転倒を防止するための補助用具は提供されているが、特許文献１の補助具の場合、持ち上げようとすると、足の付け根のみで支えるため補助具が脚の付け根に食い込む問題がある。この補助具は後ろ脚に掛かる体重のみを軽減するものであり、前脚２本及び後脚２本の前後の脚に掛かる体重の軽減をするものではない。この補助具は後ろ脚を持ち上げる構造であり前脚は解放されている、そのためこの補助具のみでは進む方向を支持出来ない。
特許文献２の様な補助具を前脚に装着し進む方向を支持することはできるが、２つの補助具が必要になり、飼い主の取り扱いが煩雑である問題がある。
特許文献３の場合、胴体中央部分を持ち上げる構造を持っているが、排尿時装着具に尿を付着させてしまう問題がある。
【先行技術文献】
【特許文献】
【０００３】
【特許文献１】特許公開２００７−１５９４４１
【特許文献２】特許公開２００７−１５９４４０
【特許文献３】登録実用新案第３１１６４６４号
【考案の概要】
【考案が解決しようとする課題】
【０００４】そこで本件の解決しようとする課題は、ペットの歩行時及び排泄時にペットのふらつき及び転倒を防止するため、ペットにストレスを感じさせることなく、持ち手から伝わる持ち上げる力を胴体全体に分散させ、ペットの前脚２本及び後ろ脚２本に掛かる体重を軽減することであり、進む方向を支持出来る構造を提供できさらに排尿時には尿の付着の心配のない軽くて着脱が容易な構造を提供することである。
【課題を解決するための手段】
【０００５】上記した課題を達成するために、本発明によるペット用サポートバックは、ペットの胴体全体（胸部・下腹部・腰部・臀部・背部）を包む胴体部に前脚２本及び後ろ脚２本用の４か所の挿通口を備え、背部には首・胴体・腰の太さに合わせて調節装着可能な調整用面ファスナーを備え、胴体部には飼い主等がペットの胴体を持ち上げ支持可能な持ち手が固定された構造を持っており、尻尾から下腹部にかけ排尿・排便可能な細長い開口部を備えている構造である。
【考案の効果】
【０００６】上記の様な構造を持つペット用サポートバックは、軽くて着脱が容易であり、ペットがストレスを感じることなく装着可能であり、ペットの高齢化および病気に伴う筋力の低下及び怪我等による歩行時・排泄時の脚のふらつき・転倒を防止でき、排泄物の付着のない介助用具を提供できる。
【図面の簡単な説明】
【０００７】
【図１】この考案の側面図である。
【図２】図１を展開した状態の内面図である。
【図３】ペットに装着させたときの側面図である。
【図４】ペットに装着させたときの後ろ背面図である。
【符号の説明】
【０００８】１、  首下胸被覆部
２、  左前脚挿通口
３、  右前脚挿通口
４、  左後ろ脚挿通口
５、  右後ろ脚挿通口
６、  左打ち合わせ部
７、  右打ち合わせ部
８、  面ファスナー
９、  面ファスナー
１０、腹当て部
１１、左臀被覆部
１２、右臀被覆部
１３、左持ち手
１４、右持ち手
１５、左脇被覆部
１６、右脇被覆部
【図１】
0003176602.tif 000003
【図２】
0003176602.tif 000004
【図３】
0003176602.tif 000005
【図４】
0003176602.tif 000006
(57)【要約】      （修正有）【課題】寝衣交換、身体の観察や処置，清拭排泄等の介助を容易に行うことが出来るかぶり型寝衣を提供する。【解決手段】下前おくみＢと上前おくみＡをかさねて縫い合わせるとともに、後ろ身ごろの中央に充分な長さの背割れを設け、寝衣の交換が簡単にでき、又介助の際の労力を大巾に軽減する。【選択図】図１
0003176603.tif 000002
【実用新案登録請求の範囲】
【請求項１】
（１）後ろ身ごろに背割れを設けるとともに、下前おくみと上前おくみを重ね縫い合わせたかぶり型寝衣。
【考案の詳細な説明】
【技術分野】
【０００１】  本考案は浴衣などのかぶり型の寝衣に関するものである。
【背景技術】
【０００２】  高齢者の増加とともに在宅介護、老老介護は避けることのできない現状であるが病人や寝たきり者の寝衣の着替えは看護・介護者と被介護者双方の負担がかなり大きく着替えや身体の処置・観察、清拭排泄等の介助にも大きな支障をきたしている。【０００３】  病人や寝たきり者の寝衣の着替えは、右側臥位と左側臥位を交互に何度も行う必要があり、看護・介護者と被介護者双方の身体的負担がかなり大きく、また胃ろうへの経管栄養、排液排尿チューブ等の管理や背部腰部の処置や観察、清拭排泄等の介助に大きな負担を要し、尚かつ身体の必要以上の露出や装着後の寝衣のみだれもあり、また胸元から逆にはおる、いわゆる逆着せも散見されるが外観上好ましくない。
【先行技術文献】
【特許文献】
【０００４】
【特許文献１】  特開２０００−２７０１３号  公報
【考案概要】
【考案が解決しようとする課題】
【０００５】  前記状況に対して着替え等の介護を容易にする従来技術として特開２０００−２７０１３号に記載された発明が提案されている。この発明には、後ろ身頃中央にスリット（７）を設けてあるが、前おくみが開いた状態であるため、着替えに対する負担が大きく、また簡単迅速という面では短所がある。
浴衣は、肌ざわり、汗の吸収の良さ、洗濯のしやすさ等の長所があり多く用いられているが装着後の寝衣が乱れやすいという短所がある。
そこで本考案は、かぶり型の寝衣にすることにより、病人や寝たきり者の寝衣の着替えが容易になり、看護・介護者と被介護者双方の負担を軽くし、逆着せをすることもなく前述の課題を解決しようとするものである。
【課題を解決するための手段】
【０００６】  本考案は、後ろ身ごろの中央に充分な長さの背割れを設けるとともに、下前おくみと上前おくみをそれぞれ重ね縫い合わせておくことにより、かぶり型寝衣を実現し、簡単かつ迅速な着替えや身体の処置や観察、清拭排泄等の介助が容易に出来る寝衣を提供することを目的とするものである。
【考案の効果】
【０００７】  本考案によるかぶり型寝衣は、病人や寝たきり者が仰臥位のまま看護・介護者が一人でも寝衣の交換が簡単にできるようになり、看護・介護者の労力の大幅な軽減とあわせて病人、寝たきり者の心身の大幅な負担の軽減をすることができる。
また胃ろう経管栄養の接続や排液排尿チューブの管理、背部腰部の処置や観察、清拭排泄等の介助が身体の露出を最小限にして簡単にできるので、病人や寝たきり者の身体的および心理的な負担の軽減と合わせて看護・介護者の労力を大幅に軽減することができた。
尚、寝衣装着後の乱れが少なく外観上も良好となり胸元からはおる、いわゆる逆着せを解消することができた。
【図面の簡単な説明】
【０００８】
【図１】  下前おくみと上前おくみを重ねて縫い合わせた正面図である。
【図２】  背縫いの途中からを裾までを背割れにした背面図である。
【実施例】
【０００９】  以下、添付図面に従って本考案の実施例を説明する
図１のＡは上前おくみ、Ｂは下前おくみ、Ａ１は上前おくみＡの襟、Ｂ１は下前おくみＢの襟，Ｃは裾である。図２のＤは後ろ身ごろ，Ｅ−Ｆは背縫い目である。【００１０】  そして上前おくみＡと下前おくみＢを重ね合わせた状態で、襟Ａ１とＢ１の合わせ部Ｘ１から上前おくみＡの襟端部Ｘ２、裾Ｘ３まで、またＹ１からＹ２までを縫製し、かぶり型寝衣を構成している。ただし胃ろう経管栄養者にはＹ３からＹ４までは縫製をせず開口部を作るようにしている。【００１１】  一方後ろ身ごろの背縫いはＥからＦまでとし、Ｆから裾Ｃまでは背割れを設けた状態にする。このように構成して着替えなどを容易かつ迅速に行えるようにしたものである。【００１２】  着せるときは、仰臥位のまま襟の部分から頭を入れ、袖に腕を交互に通し、後ろ身ごろをそれぞれ背部腰部に入れ、裾を足元まで引き整えるのみで簡単、かつ迅速に、きちんと着せることが出来る。【００１３】  脱がせるときは仰臥位のまま後ろ身ごろを左右に大きく広げ、袖から腕を曲げながら引き抜き襟の部分をもち頭から脱がせる。【００１４】  背部腰部の処置や観察、清拭排泄等の介助は背縫い中央部の背割れを広げるのみで容易にでき、尚且つ身体の露出を最小限にすることができるので、看護・介護者と被介護者双方の負担軽減になる。
【符号の説明】
【００１５】Ａ          上前おくみ
Ｂ          下前おくみ
Ａ１・Ｂ１  襟
Ｃ          裾
Ｄ          後ろ身ごろ
Ｅ・Ｆ      背縫い目
Ｙ３・Ｙ４  開口部
【図１】
0003176603.tif 000003
【図２】
0003176603.tif 000004
(57)【要約】      （修正有）【課題】非常時に救援物資などを運搬しやすくする階段板を提供する。【解決手段】集合住宅の非常階段の側部に蝶板部を有する板を取り付ける。【選択図】図１
0003176612.tif 000002
【実用新案登録請求の範囲】
【請求項１】
一般集合住宅（通称マンション）の非常階段の側部に蝶番部を有する板をとりつけ地震等の災害発生でエレベーターが使えなくなった時に前記蝶番付板を階段に倒して当該住宅の居住者が地上の救援物資（飲料水や食料品医薬品等）を車のついた荷物運搬車等で階段板で楽に運搬利用を可能にした階段板
【考案の詳細な説明】
【考案の詳細な説明】
この考案は階段の側板に蝶番の一端を取り付け他方の蝶番の一端を階段板にとりつけた構造で  平常時はこの階段板は階段側板に固定しておきます地震等非常事態が発生し  エレベータが使えなくなって高層住宅の住民で非常階段の側板に固定しておいた階段板を階段面に倒して地上から救援物資や生活用品を車のついた荷物運搬車で運搬がし易くなった階段板で共同利用することによって災害対策に利用効果を挙げることができるものであります
【図面の簡単な説明】
【図１】蝶番のついた階段板で平常は階段側板に固定した状態
【図２】非常災害発生時にエレベーターが使えなくなった時  蝶番のついた階段板を階段に倒し荷物運搬に利用可能な状態にしたとき
【図１】
0003176612.tif 000003
【図２】
0003176612.tif 000004
(57)【要約】      （修正有）【課題】土壌の温度変化を少なくした断熱効果の高い機能を備えた植木鉢及びプランターを提供する。【解決手段】植木鉢及び又はプランターの外壁面又は内壁面及び、外壁面・内壁面の両面を断熱塗料で塗布（施着）することにより断熱機能を持たせ、土の温度変化を緩慢とさせ、植物の根に対してダメージを少なくする。【選択図】図３
0003176614.tif 000002
【実用新案登録請求の範囲】
【請求項１】
植木鉢及び又はプランターの外壁面又は内壁面及び、外壁面・内壁面に断熱塗料が塗布（施着）されていることを特徴とする植木鉢及び又はプランター。
【考案の詳細な説明】
【技術分野】
【０００１】  この考案は、植木鉢、プランター等花壇及び家庭菜園において、特に夏場は断熱性、冬場は保温性機能を有した植木鉢及びプランターに関するものである。
【考案の概要】
【考案が解決しようとする課題】
【０００２】  従来の植木鉢、プランターに塗料を施着されている物もあるが、これらの目的は見栄えのみであり、夏場は直射日光により植木鉢、プランター内の土が高温となり、その土を介して熱が伝達され根が高温にさらされる。又、冬場に於いては、日中温められた土を介して根は保温されているが、夜中の冷え込みで熱が系外に放射され根は低温な土にさらされる。このように一日の内で、植木鉢、プランター内の土の温度変化が大きく植物の生育に好ましくないという課題があった。【０００３】  この考案は上記の問題点に鑑みて、断熱塗料に着眼し、植木鉢、プランター等に施着することにより、熱の伝達速度が遅くなり、植木鉢及びプランター内の土の温度変化を少なくすることが出来得たのである。
【課題を解決するための手段】
【０００４】  上記、目的を達成する手段として、この考案は図に示した如く、植木鉢１及びプランター１１のそれぞれの外壁面２、１２及び内壁面３，１３の両面に断熱塗料を▲１▼刷毛、▲２▼デップ、▲３▼スプレーなどを用いて施着（塗布）、あるいは外壁面２，１２のみ、又は、内壁面３，１３のみに施着（塗布）することで、植木鉢及びプランター内の土の温度変化が緩慢となり、植物の根に対して温度差によるダメージが少ない植木鉢及びプランターなどを広く提供しょうとするものである。
【図面の簡単な説明】
【０００５】
【図１】  本考案の植木鉢の正面図である。
【図２】  本考案の植木鉢の平面図である。
【図３】  図２の線Ａ−Ａに沿った横断面図である。
【図４】  本考案のプランターの横断面図である。
【考案を実施するための形態】
【０００６】  この考案は、上記の如く、植木鉢１及びプランター１１のそれぞれの外壁面施着断熱塗料４、１４及び内壁面施着断熱塗料５、１５なる構造を特徴とするものであることから植木鉢及びプランターに日光が照射されても施着（塗布）さてた断熱塗料により一部反射されるが、照射による熱は断熱塗料の熱伝達速度が極端に遅いことから、植木鉢及びプランター内の土を介して根に熱が到着する過程で冷却され、植物がダメージを受けるほどの高温とはならない。
【０００７】  夜間は外気温が低下するが、断熱塗料により植木鉢及びプランター内の土の温度低下を抑えられ、植物の根に対する日中と夜間の温度差は緩慢となり植物へのダメージが解消出来得るのである。
【実施例】
【０００８】  以下、この考案の実施例を図面について説明すると、１は通常の植木鉢で１１は通常のプランターであって、それぞれの外壁面２，１２及び内壁面３，１３に断熱塗料を施着（塗布）する。【０００９】  植木鉢及びプランターの両壁面に断熱塗料を施着（塗布）したのが、それぞれ、外壁面施着断熱塗料４，１４及び内壁面施着断熱塗料５，１５である。【００１０】  植木鉢及びプランターの外壁面のみに断熱塗料を施着（塗布）したのが、それぞれ、外壁面施着断熱塗料４，１４である。【００１１】  植木鉢及びプランターの内壁面のみに断熱塗料を施着（塗布）したのが、それぞれ、内壁面施着断熱塗料５，１５である。【００１２】  更に上記、外壁面施着断熱塗料４，１４を適当な色彩、図柄模様等を有することによって意匠的にも優雅な趣向のある植木鉢１及びプランター１１を容易に求めることができる。
【符号の説明】
【００１３】    １      植木鉢                            １１      プランター
２      外壁面                            １２      外壁面
３      内壁面                            １３      内壁面
４      外壁面施着断熱塗料                １４      外壁面施着断熱塗料
５      内壁面施着断熱塗料                １５      内壁面施着断熱塗料
６      底壁                              １６      底壁
７      孔                                １７      孔
【図１】
0003176614.tif 000003
【図２】
0003176614.tif 000004
【図３】
0003176614.tif 000005
【図４】
0003176614.tif 000006
(57)【要約】      （修正有）【課題】睡眠中の舌挙上と口唇閉鎖が保持でき、舌の後方の気道が確保されるため、鼾や睡眠時無呼吸症候群の予防と軽減に効果があるマウスピースを提供する。【解決手段】睡眠時に舌を挙上した状態で保持できるよう、本体のピース部に舌を乗せるタンアッププレート部を装備したマウスピースである。【選択図】図６
0003176613.tif 000002
【実用新案登録請求の範囲】
【請求項１】
睡眠中に舌を挙上した状態に置くことができるよう、本体のピース部に舌を置く受け皿である、タンアッププレート部を装備したことを特長とする既製品のマウスピース。
【考案の詳細な説明】
【技術分野】
【０００１】本考案は睡眠中に舌が沈下しないよう、舌の受け皿（以下タンアッププレートと称す）を装備した既製品のマウスピースである。
舌を挙上した状態に置くことで、舌の後方の気道スペースを広げ、気道の閉塞を防ぐ効果がある。
従来のマウスピースは睡眠障害に詳しい歯科医師がオーダーメードで作製していたが、本考案装置は既製品で、７種のサイズを用意し、子供から大人まで対応できる。
【背景技術】
【０００２】舌は筋肉の塊であり、一定の筋力がなければ下方に下がってしまう。舌が沈下すると上気道が閉塞し、その際の口呼吸の摩擦音が鼾である。舌挙上及び口唇閉鎖の保持が鼾及び睡眠時無呼吸症候群の予防、軽減につながるのである。
【先行技術文献】
【特許文献】
【０００３】先行技術としては、公開番号２０１０−２９６１５  出願人有限会社ニューウェーブメディカルの睡眠時無呼吸等の防止用マウスピースがあり、また、睡眠時無呼吸症候群の一般的治療には、一定圧を加えた空気を鼻から送り込むことにより、上気道の閉塞を取り除き、睡眠中の気道を確保する経鼻的持続陽圧呼吸療法がある。
【考案の概要】
【考案が解決しようとする課題】
【０００４】従来のマウスピースは、高度な技術と経験を持つ歯科医師が患者の歯型に合わせてオーダーメードで作製し、機能としては舌や下顎を前方に固定することで、舌の後方の気道を確保するものであった。
それに対して本装置は、舌挙上に重点を置いたものである。舌挙上をすると口唇閉鎖ができるようになることから、正常な鼻呼吸が確保される。
【課題を解決するための手段】
【０００５】睡眠中の舌挙上と口唇閉鎖を保持するために、本体のピース部にタンアッププレート部を設け、舌を挙上状態に置き、正常な鼻呼吸が確保できるよう考案した装置。
【図面の簡単な説明】
【０００６】
【図１】  本考案に係わる正面図
【図２】  本考案に係わる背面図
【図３】  本稿案に係わる右側面図
【図４】  本考案に係わる左側面図
【図５】  本考案に係わる平面図
【図６】  本考案に係わる底面図
【図７】  本考案に係わる使用時の図
【考案を実施するための形態】
【０００７】使用方法は、睡眠中に本装置を上下の歯の間に固定し、舌をタンアッププレートに乗せ、舌の後方の気道スペースを広げることで、気道の閉塞を防ぐものである。
【産業上の利用可能性】
【０００８】歯科装具である本装置は、経鼻的持続陽圧呼吸療法装置に比べ、安価で、装着に抵抗感が少なく、また、携帯に便利なため大きな需要が見込める。
【符号の説明】
【０００９】  １０  本体のピース部
１１  タンアッププレート部
【図１】
0003176613.tif 000003
【図２】
0003176613.tif 000004
【図３】
0003176613.tif 000005
【図４】
0003176613.tif 000006
【図５】
0003176613.tif 000007
【図６】
0003176613.tif 000008
【図７】
0003176613.tif 000009
(57)【要約】      （修正有）【課題】肌に触れると冷たいと感じるシャツを提供する。【解決手段】シャツの襟腰裏に接触冷感素材を取り付ける。【選択図】図１
0003176620.tif 000002
【実用新案登録請求の範囲】
【請求項１】
シャツの襟腰裏に接触冷感素材を取り付けた構造。
【考案の詳細な説明】
【技術分野】
【０００１】この考案は、シャツの襟腰裏に接触冷感素材を取り付けた構造。
【背景技術】
【０００２】シャツの襟腰裏に素材本体に鉱物粉末化合物を練り込むことで、同じ温度内でありながら肌に触れることにより冷たいと感じる接触冷感素材を取り付けた。
【考案が解決しようとする課題】
【０００３】従来のシャツには肌に触れると冷たく感じるものはなく素材感だけで涼しく感じるものが大半でした。
【考案の結果】
【０００４】シャツの襟腰裏に接触冷感素材を取り付けることにより動脈が走っている首筋が熱くなるのを冷たいと感じることができる。
【図面の簡単な説明】
【０００５】
【図１】シャツの襟腰裏と上襟
【図２】シャツの襟腰裏拡大
【符号の説明】
【０００６】１０  接触冷感襟腰裏１１  上襟１２  上襟裏
【図１】
0003176620.tif 000003
【図２】
0003176620.tif 000004
(57)【要約】      （修正有）【課題】化学防護服を着用しての作業において、熱中症を予防する冷房チョッキを提供する。【解決手段】チョッキに冷却水を循環させる装置を装着する。【選択図】図１
0003176611.tif 000002
【実用新案登録請求の範囲】
【請求項１】
冷却水を循環させる装置を装着したチョッキ。
【考案の詳細な説明】
【技術分野】
【０００１】  本考案は、夏期および高い温度の空間にいる時、体感温度を下げ、熱中症を防止するために着用するチョッキに関するものである。【０００２】現在市販されている冷房用のチョッキは、ポッケット部分に保冷剤を装着して使用するものがあるが、一部分のみが冷えたり、密着部分が冷えすぎたりして、使用目的を十分に満足してはいない。
また、冷気の循環を利用した「冷房用衣服のエアーベスト」（実用新案登録第３１２９２３５号）を使用したが、コンプレサーおよびエアーラインの範囲内での使用であり、作業範囲が固定化された現場での使用は可能である。しかし、自由な作業動線が必要な現場には利便性が悪い。また、エアーラインから冷気が出る際に「シュー」という音が耳触りである。
既存の冷房装置では、化学防護服（タイベック  商標登録）などを着用しての作業においては、熱中症を防止する有効な手段が十分であるとは決して言えない状況である。【０００３】頭部や首筋を冷やすものは、安価で使い勝手の良いものが市販されているので、内臓温度（特に胸部）が高まるのを防止することに主眼を置いた。
この問題を解決するため、考案者は様々な実験を重ね、個々が着装し、冷房効果あるチョッキを考案した。図１に示す。
【考案の概要】
【０００４】  この考案の主な装置は、
１）冷却装置
２）送水ポンプ
３）冷房用ホース
をもって構成し、それらをチョッキに縫合取付けする。
図２のように冷却水は循環する。
【各部の構成の詳細】
【０００５】１）冷却装置
１０００ｍｌ〜１５００ｍｌ容量のプラスチックボックスに流出ホース、流入ホースを取付ける。プラスチックボックスには市販の保冷剤（商品名クールパックなど）を敷詰める。水を満タンにする。
保温効果のあるウエストバックに入れベルトに取付け、腰部に装着する。
２）送水ポンプ
３Ｖ〜９Ｖの市販の真空ポンプ（ここでは送水ポンプという）の入り側を冷却装置の流出側に接続する。
送水ポンプの出側に長さ約５ｍのφ３ｍｍ〜３．５ｍｍのビニールホースを取付け、その末端を冷却装置の流入ホースに接続する。
１）で記載したウエストバックに入れ、腰部に装着する。
３）冷房用ホース
送水ポンプの出側から、冷却装置の流入ホースに取付けた約５ｍのホースを冷房用ホースという。
このホースをチョッキの内側に図１に示した要領で配置し、縫合する。
ホースのチョッキへの取付けは、全長の４分の１を背側に、４分の３を胸側に配置することとした。
送水ポンプで送出された冷却水は、背面に回り、ホースを上昇し、首横を通り胸部に配置されたホースを通り冷却装置に戻る。
【考案の効果】
【０００６】  冷熱源の供給を個々一単位で解決しているので、行動範囲はシステムのラインで繋がれた方式のものより大幅に広がり、またエアーラインの損傷や供給熱源を送る機械の故障等による作業の中止がなくなった。
これは作業員の健康や生命の維持に関し、大きな効果であるとともに、運用管理にかかる費用を大きく低減したものである。
【図面の簡単な説明】
【０００７】
【図１】冷房用チョッキの内側を示した平面図である。
【図２】冷却水の循環を示した経路図である。
【図３】冷却装置の外観を示した姿図と側面図である。
【図４】送水ポンプの外観を示した姿図と側面図である。
【産業上の利用可能性】
【０００８】考案のきっかけはタイベックを着ての作業であった。建築物の解体、プラントの解体など、有害物質が発生する作業は近年たいへん多くなってきている。
また原子力発電所の事故に見られる復旧工事や解体工事にはタイベックを着用し、高温の空間での作業がたくさん考えられる。
作業員の安全を確保し作業の効率を高めるためには既存の冷房装置にはない、行動範囲の広さ、作業の軽快さ、そしてなんといっても安価な制作費とランニングコストである。また管理上の簡潔さは、既存の同類のものを大きくしのいでいる。
この考案は現代社会に寄与するところは大であると思われる。
【図１】
0003176611.tif 000003
【図２】
0003176611.tif 000004
【図３】
0003176611.tif 000005
【図４】
0003176611.tif 000006
(57)【要約】      （修正有）【課題】肩からベルトが滑り落ちないようにするのに、肩、鎖骨上下辺りに本用具を当てることにより、素材の特性、押さえれば変形し凹凸になるという性質を生かし、体とバッグとの隙間を埋めるようにして摩擦力を高め、バッグのベルトが滑るのを止めるように工夫したバッグ滑り止め用具を提供する。【解決手段】柔らかいゴムなどのような弾性体１を袋２に入れ、力を加えると変形し袋２の中で凹凸になるという性質を持つ素材を袋２につめ、袋２からもれないようにし、その袋２をバッグのベルトに取り付けられるように、取り付け手段３を設けた構造のバッグの滑り止め用具。また、今一つの特徴は、使用箇所が肩のみでなく、鎖骨の上下辺りでも効果を発揮し、使用範囲が広いことである。【選択図】図１
0003176629.tif 000002
【実用新案登録請求の範囲】
【請求項１】
柔らかいゴムなどのような弾性体で、力を加えると凹凸に変形する素材を袋につめ、その素材が袋からもれないようにし、その袋をバッグのベルトに取り付けられるように取り付け手段が設けられたバッグの滑り止め用具。
【考案の詳細な説明】
【技術分野】
【０００１】  本考案は、バッグを肩にかけたとき、バッグが肩から滑り落ちたり、あるいはずり落ちそうになる不快感を取り除くものである。
【背景技術】
【０００２】  従来のバッグ滑り止め用具は、肩の位置に当てて摩擦により滑りを防止しようとするものであった。しかし、なで肩の場合などには効果がうすく、十分な効果を発揮できていなかった。
【考案が解決しようとする課題】
【０００３】  肩からベルトが滑り落ちないようにするのに、従来のものでは素材の摩擦力のみを利用しており、摩擦材と肩との間に隙間ができやすく、そのため効果がうすかった。本考案は、使用する範囲を広げ、肩、鎖骨上下辺りに本用具を当てることにより、素材の特性、押さえれば変形し凹凸になるという弾性体の性質から、体とバッグとの隙間を埋められるようになるので摩擦力が高まり、バッグのベルトが滑るのを止められるように工夫したものである。
【課題を解決するための手段】
【０００４】  上記問題を解決するために、本考案は、柔らかいゴムなどのような弾性体を袋に入れ、この弾性体が袋から漏れないような構造とし、力が加わるとこの弾性体が袋の中で体の凹凸に沿って変形し、当てた箇所と体の接触部分が常にフィトするようになり、従来のように体との間に隙間ができることがなくなる。そういう性質を持つ素材を袋につめ、袋から漏れないような構造にして、その袋をバッグのベルトに取り付けられるように、取り付け手段を設けたバッグの滑り止め用具。また、今一つの特徴は、使用箇所が肩のみでなく、鎖骨の上下辺りでもよく効果を発揮し、使用範囲が広いことである。
【考案の効果】
【０００５】  本考案のバッグ滑り止め用具を使用したとき、柔らかくて弾力性があり、バッグの重さで本製品が押さえられることにより、本製品に使用している弾力性のあるゴム状のものが、袋の中で力の加わったところから袋内で変形し凹凸を作り、体とバッグとの隙間が調整されてベルトの傾きが解消されると共に、摩擦力が大きくなるという構造である。また柔らかい素材であるため体に違和感を生じず、なじんだ状態で使用でき、かつ取り付けも簡単自由に行えるようにしてあるので、小型で手軽に扱うことができ、使用できる箇所も肩以外にも広げられている。
【実施例】
【０００６】  以下、本考案の実施例を図面に基づき説明すれば、今弾性体としてゴム、それを包む布と紐を使用して作った製品として説明すると、図１、図２、図３において、１はゴム、２はゴムを入れる袋、３は取り付け用の紐、４はバッグのベルト、５はバッグ、６はバッグ滑り止め用具全体である。紐３は、接着または縫いつけなどの方法で本体６に取り付ける。ゴム１の部分は他の素材例えば柔らかい合成樹脂などを用いてもよい。またゴムを入れる袋２も滑りにくい素材であれば布に限らず他の素材でもよい。紐３の部分もバッグ５のベルト４に取り付けられるようにすれば、他の素材を使用してもよい。例えば、マジックテープやホック、ゴム紐などを用いてもよい。本製品をバッグのベルト部に取り付け、取り付け方は紐３をバッグ５のベルト４に結びにつけ、手で移動できる程度の強さの取り付け方でよい。ベルト４を肩に掛けた時に適当な位置へ移動できるようにするためである。本製品の取り付け位置は、肩、鎖骨の上下辺りでベルト４と体の間に隙間ができる部分に当たるように取り付ける。そうすることによりバッグ５を肩に掛けたときの重さで、ゴム１が袋２の中で変形し凹凸を作り、ベルト４と体との隙間のある部分を調節し、ベルト４と体がなじみ摩擦力が大きくなり滑りにくくなる。以上のようにして使用すれば肩からベルト４が滑り落ちたり、あるいはずり落ちそうになる不快感を防止することができるようになる。本体６が不要な時には取り外すか、取り付けたままベルト４を滑らせて、邪魔にならない位置に移動しておいてもよい。それにより手軽に扱えることになる。本製品はゴム部１に、ゴムに換えて粘弾性のものを用いてもよいが、その場合には袋から粘弾性物質が漏れでないように袋の素材を考慮する必要がある。また、手提げ部分の長い手提げカバンの場合にも、手提げ部分に本製品を取り付けて同様の方法で使用できる。バッグ滑り止め本体６の形状は、実施例では長方形の例を示したが、楕円形・円形・三角形などどのような形状でも差し支えない。よってこの形状を好みによってデザイン化することもできる。
【図面の簡単な説明】
【０００７】
【図１】バッグ滑り止め用具の一部を断面とした斜視図
【図２】バッグ滑り止め用具の斜視図
【図３】バッグ滑り止め用具をバッグに取り付けた状態の図
【符号の説明】
【０００８】  １バッグ滑り止め用具本体中のゴム部
２バッグ滑り止め用具本体のゴムを入れる袋部
３ベルトに取り付ける紐部
４バッグのベルト部
５バッグ
６バッグ滑り止め用具本体の全体
【図１】
0003176629.tif 000003
【図２】
0003176629.tif 000004
【図３】
0003176629.tif 000005
(57)【要約】      （修正有）【課題】ゴムベルトや紐を用いずに、レジ袋を固定できるごみ箱を提供する。【解決手段】ごみ箱の胴板の２面に穴を開け、袋の把っ手を箱の外側から内側にむけて差し込む。【選択図】図４
0003176626.tif 000002
【実用新案登録請求の範囲】
【請求項１】
買い物で支給されるレジ袋の把っ手を差し込む穴を、胴板の相対する２面に穿ったごみ箱。
【考案の詳細な説明】
【技術分野】
【０００１】レジ袋は、スーパーマーケットやコンビニエンスストアで支給されるポリエチレン製のショッピングバッグであるが、厖大な量が消費されている。ＣＯ２の削減や省資源の観点から、常に節約の対象となるが、便利なことや低廉なことから、依然として利用は衰えていない。本考案は、このレジ袋の再利用を促進し、資源の有効活用を図らんとするものである。【０００２】最も多く利用されているレジ袋の形状、構造は、図１の通りである。サイズは、袋の口の周りは７５０ｍｍ、深さは３８０ｍｍ、把っ手の長さは１３０ｍｍで、収容量は約１０ｌである。
【背景技術】
【０００３】レジ袋の代表的な再利用法は、ごみ袋である。一部はそのままごみ袋として、一部はごみ箱に内袋としてセットされて（図２、図３）再利用されている。
【考案の概要】
【考案が解決しようとする課題】
【０００４】レジ袋をごみ箱の内袋として利用する場合、図３のように袋の口の部分（縁り）を外側に折り返して利用する。このため、袋の口の外周はごみ箱の投入口の外周より大きくなければならない。袋はごみ箱の縁りから離脱して、中側に引き込まれないように、図３−５のようにゴムベルトや紐で箱に固定しなければならない。ベルト等を用いないで固定する、簡便な方法が望まれる。【０００５】さらにレジ袋をごみ箱にゴムベルトなどで固定する場合、袋の把っ手が垂れて美観を損なう（図３−３）ので、把っ手の始末をしたい。
【課題を解決するための手段】
【０００６】請求項１の考案は、ごみ箱に図４−６のように、箱の胴板の対面に２個の小穴を穿つのである。【０００７】この穴はレジ袋の把っ手を差し込むためのものである。２本の把っ手は図５の断面図に示すように、箱の外側から内側に向けて差し込み、把っ手の根元まで引っ張り込む。【０００８】このあと、袋の縁り（口の部分）を、ごみ箱の投入口の縁りの全周に引っかけ外側に折り、整える。この操作で袋は、ごみ箱に確り固定できることになる。これまで用いられてきたゴムベルトや紐は不要となった。
【考案の効果】
【０００９】本考案によれば、第一に袋をごみ箱に固定するためのゴムベルトや紐が不要になり、手間も軽減する。【００１０】本考案による第二の効果は、レジ袋の把っ手がごみ箱の穴に差し込まれると摩擦抵抗で把っ手は抜けづらくなり、袋を固定するように機能することになったことである。
その上この機能は、袋の把っ手をごみ箱の内側に納める方法で行うので、把っ手は外からは見えなくなり、固定が美麗になる。【００１１】本考案の効果により、レジ袋の再利用の価値が上がり、省資源にも資する。
【考案を実施するための形態】
【００１２】ごみ袋の素材は、ポリエチレン製が望ましい。素材が本考案になるごみ箱の小穴を通過するとき、適度の滑りをもたらすからである。
【００１３】本考案になる袋は把っ手をもっていること。レジ袋は例外なく把っ手をもっているが、専用のごみ袋も、近時把っ手がつけられるようになってきている。
【００１４】本考案の対象とするごみ箱の容量は、６ｌから１０ｌである。その素材はプラスチック、金属、木材、紙など、いずれの素材でもよく、また形も角柱形や円柱形を問わない。
【００１５】ごみ箱の胴の板に穿つ穴の中心の位置は、ごみ箱の縁りの下４ｃｍから５ｃｍの距離に設ける。
【００１６】ごみ箱の胴の板面に穿つ穴の形状は、図７のように各種あってもかまわない。大きさは差し込んだ袋の把っ手が抜けにくい程度の窮屈さがあればよい。考案者の実験では、直径１０ｍｍから１５ｍｍ程度の円形の穴で、機能する事がわかった。
【図面の簡単な説明】
【００１７】
【図１】図１は、レジ袋の平面を斜視図で示す。
【図２】図２は、袋を内袋として利用する図。袋を箱に入れ袋の口（縁り）を外側に折り返さんとする。
【図３】図３は、ごみ箱の上部を示す。これまでのごみ袋と箱の固定方法で、ゴムバンドで縛っている。
【図４】図４は、ごみ箱の胴の相対する板面に小穴をあけている。
【図５】図５は、ごみ箱の断面図で胴板に穿った穴に袋の把っ手を箱の外側から差し込む。
【図６】図６は、ごみ箱に袋をセットした図。
【図７】図７は、箱に穿つ穴の形状の例である。
【符号の説明】
【００１８】１  レジ袋の口（縁り）。
２  ごみ袋。
３  把っ手。
４  ごみ箱。
５  ゴムベルト。
６  ごみ箱の胴板に穿つ穴。
【図１】
0003176626.tif 000003
【図２】
0003176626.tif 000004
【図３】
0003176626.tif 000005
【図４】
0003176626.tif 000006
【図５】
0003176626.tif 000007
【図６】
0003176626.tif 000008
【図７】
0003176626.tif 000009
(57)【要約】      （修正有）【課題】摘み取った岩海苔を短時間で分離する海苔分離機を提供する。【解決手段】沈殿槽２、９と、流量を調整できる取込み口３と、溝の隙間や傾斜を調整できるレール７、８とを備える。【選択図】図１
0003176628.tif 000002
【実用新案登録請求の範囲】
【請求項１】
沈殿漕と流量を調整できる取込み口・溝の隙間・傾斜を調整できるレールを備えたことを特徴とする海苔分離機
【考案の詳細な説明】
【技術分野】
【０００１】  本考案は、摘み取った岩海苔を分離するためのものである。
【背景技術】
【０００２】  摘み取った岩海苔には、根っこの付いた岩海苔・砂・小石などがあり、これまでは、手で取り分けていた。
【考案の概要】
【０００３】  先に考案した摘み取り機に接続して、今まで手で摘み取り・取分けをしていた岩海苔を、沈殿槽とレールを使うことで取分け、短時間労働を可能にしたものである。
【考案が解決しようとする課題】
【０００４】  根っこの付いた岩海苔・砂・小石などを、根っこの付いていない海苔から、摘み取る時にその特性を利用して、分離するものである。
【課題を解決するための手段】
【０００５】  根っこの付いていない海苔は、根っこの付いた海苔に比べて、水流があれば、細い溝を通ることが出来る特性、砂と海苔の質量の違いを利用して分離する。
【考案の効果】
【０００６】  手で取り分けるにも、かなりの時間を費やした岩海苔を、摘み取るのと同時に、取分ける事が出来るようになり、短時間労働を可能にした。
【図面の簡単な説明】
【０００７】
【図１】本考案の取り分ける実施例を示す立面図である。
【図２】本考案の主要部の断面図である。
【図３】本考案の主要部の斜視図である。
【０００８】  海苔摘み取り機から水流と共に海苔・砂・小石などを取込み、沈殿させて小石を取り除き・溝の付いたレールをとおして根っこの付いた岩海苔を分離する。
【実施例】
【０００９】  以下、添付図面に従って１実施例を説明する。１は、海苔摘み取り機などに接続して小石などを含んだ海苔を２に送り込む。２は、小石などを底に沈殿させる。３は閉じたりして３の数を調整することで、２よりあふれ出る水量を調整して海苔などを、７と８の溝に送り込む、４は、７を上下させて、８との隙間を変え、６に挟み込み１０・１１によって７の傾斜を変える。５は６に挟み込み、１０・１１によって８の傾斜を変える。７と８の傾斜を変えたり水量を変えることで、根っこの付いた海苔を１２まで送り込む。７と８の隙間は、根っこの付いていない海苔を通して９に送り細かい砂などを海に放出する。１２は、７・８の隙間で通過できなかった、根っこの付いた海苔や、小石などを、沈殿させて、小石などを、海に放出する。Ｆは装置全体の保護と装置を海に浮かべます。１２に溜まった岩海苔などを、２に数回戻すことで、９に品質の良い海苔を、短時間に取分けることが出来る。
【符号の説明】  １  接続口  ２  沈殿槽Ａ  ３  取込み口  ４  レール隙間調整ボルト  ５  レール固定ボルト  ６  レールの蝶番  ７  可動レール  ８  固定レール  ９  沈殿槽Ｂ１０  レールスライド板１１  レール傾斜調整ボルト１２  沈殿槽Ｃ  Ｆ  フロート
【図１】
0003176628.tif 000003
【図２】
0003176628.tif 000004
【図３】
0003176628.tif 000005